(57)【要約】【課題】突起を炭素材料で形成することで、指圧効果と遠赤外線効果により、健康増進を図ることのできる腕時計を提供する。【解決手段】時計部１１を内装したケース本体１０と、腕に装着するためのリストバンド２０を備えた腕時計１であって、前記ケース本体、前記リストバンドの少なくとも一方の皮膚に接触する部分に突起１２を設けており、該突起は炭素材料で形成されている。【選択図】図１
2018159688.tif 000002
【特許請求の範囲】
【請求項１】
時計部を内装したケース本体と、腕に装着するためのリストバンドとを備えた腕時計であって、
前記ケース本体、前記リストバンドの少なくとも一方の皮膚に接触する部分に突起を設けており、該突起が炭素材料で形成されていることを特徴とする腕時計。
【請求項２】
請求項１において、
前記炭素材料は炭素系の複合材料とされることを特徴とする腕時計。
【請求項３】
請求項１または２において、
前記突起を設けた前記ケース本体、前記リストバンドは、前記突起と同一の炭素材料で形成されていることを特徴とする腕時計。
【請求項４】
請求項１または２において、
前記突起を設けた前記ケース本体、前記リストバンドは、前記突起とは異なる炭素材料で形成されていることを特徴とする腕時計。
【請求項５】
請求項１〜４のいずれか１項において、
少なくとも前記突起が形成された面にＤＬＣ処理による皮膜層が形成されていることを特徴とする腕時計。
【発明の詳細な説明】
【技術分野】
【０００１】
本発明は、腕に装着することで、指圧効果と遠赤外線効果により、健康増進を図れる腕時計に関する。
【背景技術】
【０００２】
従来より、皮膚に接触する部分に突起を形成した腕輪が知られている（たとえば、特許文献１参照）。この腕輪は、腕に装着することにより、突起が手首内側の経路状の内関とこの内関に近接する経路上の経穴を指圧して健康増進を図ることができる。このような突起を日常生活において身につける時間が長い腕時計に設けることにより、使用者が意識して使用しなくとも、突起による指圧を利用した健康増進を図ることができる。
【先行技術文献】
【特許文献】
【０００３】
【特許文献１】特開２００３−７０８７４号公報
【発明の概要】
【発明が解決しようとする課題】
【０００４】
しかしながら、上記特許文献１の腕輪は、突起による指圧効果のみで健康増進を図るものであり、その他の健康増進効果は有していない。また、突起は長期間の使用による磨耗や消耗、さらに、外部からの衝撃による割れや欠けなどが発生しにくい材料で形成することが望ましいが、それについての工夫もされていない。
【０００５】
ところで近時、遠赤外線を放射する材料である炭素材料が種々の分野で用いられるようになっている。遠赤外線は、遠赤外線を吸収した物体の温度を上昇させる効果がある。人体が遠赤外線を吸収すると該当部位を温めて血流を促進させるため、遠赤外線効果を利用して健康増進を図ることができる。本発明者は、このような遠赤外線効果を期待できる炭素材料を腕時計に用いることを種々試行している。
【０００６】
本発明は、このような事情を鑑みて提案されたもので、その目的は、指圧効果と遠赤外線効果による健康増進を図ることのできる腕時計を提供することにある。
【課題を解決するための手段】
【０００７】
上記目的を達成するために、本発明の腕時計は、時計部を内装したケース本体と、腕に装着するためのリストバンドを備えた腕時計であって、ケース本体、リストバンドの少なくとも一方の皮膚に接触する部分に突起を設けており、突起は炭素材料で形成されていることを特徴とする。
【０００８】
また、本発明の腕時計は、炭素材料が炭素系の複合材料とされもよい。
【０００９】
また、本発明の腕時計は、突起を設けたケース本体、リストバンドが突起と同一の炭素材料で一体に形成されてもよい。
【００１０】
さらに、本発明の腕時計は、突起を設けたケース本体、リストバンドが突起とは異なる炭素材料で形成されてもよい。
【００１１】
また、本発明の腕時計は、少なくとも突起が形成された面にＤＬＣ処理による皮膜層が形成されたものであってもよい。
【発明の効果】
【００１２】
本発明によれば、腕時計を腕に装着することで、皮膚に接触する部分に設けられている突起が皮膚を指圧して、血行促進等の健康増進効果を有する。また、突起は炭素材料で形成されているため、人体の体温で加温されると人体の組織と共鳴して遠赤外線を放射するので、人体の深奥部を加温し血行促進効果を高めることができる。そのため、突起の指圧と遠赤外線とにより、一層の健康増進を図ることできる。
【００１３】
他の本発明によれば、炭素材料が炭素系の複合材料であるため、強度を高くすることができる。
【００１４】
また、他の本発明によれば、突起を設けたケース本体、リストバンドが突起と同一の炭素材料で形成されているため、削り出しなどの製造方法で一体に形成することができ、全体の強度を高めることができる。
【００１５】
さらに、他の本発明によれば、突起を設けたケース本体、リストバンドが、突起とは異なる炭素材料で形成されているため、例えば、ケース本体やリストバンドを強度の高い材料とし、突起を熱伝導性のより高いものにするなど種々の組み合わせにすることができる。
【００１６】
また、さらに他の発明によれば、ケース本体の突起が形成された面を含む全面にＤＬＣ処理による皮膜層が形成されているため、ケース本体に光沢感や高級感を創出させることができる。
【図面の簡単な説明】
【００１７】
【図１】（ａ）は、本発明の一実施形態における腕時計の表面図、（ｂ）は図１（ａ）における裏面図、（ｃ）は図１（ａ）における右側面図である。
【図２】（ａ）〜（ｇ）は、他の実施形態におけるケース本体の裏面図である。
【図３】は、他の実施形態における腕時計の側面図である。
【図４】は、他の実施形態における腕時計の裏面図である。
【図５】は、他の実施形態における腕時計の要部分解縦断面図である。
【発明を実施するための形態】
【００１８】
以下に、本発明の実施形態に係る腕時計について、添付図面を参照して説明する。
【００１９】
本実施形態に係る腕時計１は、時計部１１を内装したケース本体１０と、腕に装着するためのリストバンド２０とを備えている。ケース本体１０、リストバンド２０の少なくとも一方の皮膚に接触する部分に突起１２が設けてあり、その突起１２は炭素材料で形成されている。
以下、詳しく説明する。なお、腕時計１の皮膚に接触する側の面を裏面、その反対側の面を表面とする。
【００２０】
この腕時計１は、図１（ａ）に示すように、時計機能を有する時計部１１が組み込まれたケース本体１０と、腕時計１を腕に装着するためのリストバンド２０とを有している。図１（ｂ），（ｃ）に示すように、ケース本体１０の裏面１０ａには突起１２が設けられている。本実施形態では、先端の角が丸く形成された円錐状の突起１２がケース本体１０の裏面１０ａに３個設けられており、突起１２の底面の直径Ｗが５ｍｍ、裏面１０ａと突起１２の先端までの凹凸寸法Ｄを２ｍｍとされる。
【００２１】
本実施形態では、ケース本体１０および突起１２は、炭素系の複合材料である炭素繊維強化炭素複合材料（以下、「ＣＣコンポジット」という）で一体に削り出し成形されている。突起１２は、腕時計１を腕に装着した際、突起１２が皮膚に刺さらないように、突起１２の先端の角は丸く形成されるのが望ましい。また、突起１２のケース本体１０の裏面１０ａと突起１２の先端との凹凸寸法Ｄは限定されることはないが、腕時計１が分厚くならないよう１ｍｍ〜５ｍｍの範囲で形成されることが望ましい。突起１２の底部の直径Ｗは特に限定されることはないが、３ｍｍ〜１０ｍｍの範囲で形成されることが望ましい。また、本実施形態のような形状の突起１２は、ケース本体１０の裏面１０ａに１〜３個設けられればよい。なお、本実施形態では、突起１２はケース本体１０と一体に形成されているが、ケース本体１０と別体に形成された突起１２がケース本体１０の裏面１０ａに固着されてもよい。また、突起１２の形状、ケース本体１０の裏面１０ａに設ける個数や設ける位置、突起１２の成形方法は本実施形態に限定されることはない。
【００２２】
本実施形態では、ケース本体１０および突起１２はＣＣコンポジットで形成されているが、これに限定されることはなく、炭素にセラミックスを複合化させた材料であってもよく、その他の炭素材料や金属材料、樹脂材料であってもよい。
また、ケース本体１０と突起１２とが別体で形成された場合、固着手段は限定されることはなく、接着剤等で固着されてもよく、ケース本体１０の裏面１０ａと突起１２とを固着させるためにネジ部等の構造等を設けてもよい。また、別体の場合、それらは別材料であってもよい。
【００２３】
また、ケース本体１０の突起１２のを含む裏面１０ａに梨地（複数の微小な凹凸）模様を施してもよい。この梨地によれば、裏面１０ａがザラザラとした質感があるため、突起１２とあいまって、腕時計１を装着した際の皮膚への接触の感触が心地良くなる。
【００２４】
さらに、ケース本体１０の突起１２を含む全面にＤＬＣ（ダイヤモンド・ライク・カーボン）処理やイオンプレーティング処理による皮膜層を形成してもよい。なお、ＤＬＣ処理などの塗装により梨地が形成されるようにしてもよい。ＤＬＣ処理などの塗装によれば種々の色に塗装できる。たとえば透明感や光沢感を出すこともできる。突起１２や梨地への塗装により光を乱反射させることができ、裏面１０ａであっても高級感を創出することができる。もちろん、表面にＤＬＣ処理による塗装を施してもよい。これにより、表面部分にもカラー模様などを形成でき、光沢感や色彩による高級感を表出することができる。
【００２５】
本実施形態では、リストバンド２０は皮革で形成されているが、これに限定されることはなく、金属材料や樹脂材料、炭素材料で形成されてもよい。また、炭素繊維を布製のリストバンド２０に織り込んでもよく、布や皮革等と炭素繊維とを重ね合わせたリストバンド２０であってもよい。
【００２６】
また、リストバンド２０が、炭素材料（望ましくはＣＣコンポジットなどの炭素系の複合材料）で形成されたものとしてもよく、その裏面の皮膚に接触する部分に、上記ケース本体１０の突起１２と同様の突起を形成してもよい。リストバンド２０の突起１２についてはケース本体１０のものと同様であり、梨地の形成、ＤＬＣ処理がなされていてもよい。なお、突起１２は、ケース本体１０、リストバンド２０のいずれか一方のみに形成されるようにしてもよい。また、ＣＣコンポジットなどで形成されたリストバンド２０の表層部に、ＤＬＣ処理などによる皮膜層が形成されてもよい。この場合もケース本体１０と同様、ＤＬＣ処理によりカラー模様を施してもよい。
【００２７】
本実施形態の腕時計１は、１２時側のリストバンド２０の端部にあるつく棒２１を、６時側のリストバンド２０の所定の位置に形成された小穴２２ａ，２２ｂ，２２ｃ，２２ｄ，２２ｅのいずれかに挿入することで、腕に装着することができる。これにより、使用者の腕の太さに合わせて腕時計１の締め付けを調節することができる。また、腕時計１の締め付けを小穴２２ａ，２２ｂ，２２ｃ，２２ｄ，２２ｅで調節することにより、突起１２の指圧の強さも使用者に合わせて調節することが可能とされる。なお、リストバンド２０の構成や、腕時計１の腕への装着の態様は本実施形態に限定されることはない。
【００２８】
ＣＣコンポジットは、炭素を炭素繊維で強化したもので、たとえば繊維強化複合材である炭素繊維強化プラスチックを熱処理し、母材のプラスチックを炭化させて作ることができる。このＣＣコンポジットは、炭素繊維強化プラスチック、ガラス繊維強化プラスチックなどに比べて、軽量で高強度などの優れた特性がある。このＣＣコンポジットは、等方性高密度炭素材と比較して、強度が高く、たわみにくく、磨耗しにくく、割れ・欠けが発生しにくいので、突起１２に用いる炭素系の複合材料に適しており、製品の寿命が長くなる。また、ＣＣコンポジットは高い熱伝導率を有しているので、人体の体温を伝えるのに適しており、生体親和性もよい。焼成の際に樹脂材料を残存させることによってさらに強度や熱伝導率を上げることができる。
【００２９】
まや、炭素系の複合材料として複合カーボンを用いてもよい。複合カーボンは、たとえば半成コークスと炭化珪素や炭化ホウ素等のセラミックスとを混合して微細化し、それを焼成することで作ることができる。この複合カーボンは、炭素材料とセラミックスとの両方の特性を有しており、磨耗しにくく高強度で高い熱伝導性などの優れた特性があるので、突起１２に用いる炭素系の複合材料に適している。
【００３０】
ＣＣコンポジットや複合カーボンは、上述したように熱伝導率が高く、外部の熱や光などの形で吸収したエネルギーにより多量の遠赤外線を放射する素材である。また、腐食のおそれもなく、人体を形成する有機物の構成物質と同じであるため、生体親和性がよく、人体への安全性も高く、金属アレルギーの心配もない。
【００３１】
人体は、身体組成の６０％は水分、２５％は炭素であり、３６．５℃の平均体温で常に１０ミクロンの遠赤外線を放射しているので、人体の皮膚に炭素材料が触れると、人体が遠赤外線を吸収して加温される。すなわち、炭素材料と人体との間で同じ波長の遠赤外線を放射しあって、炭素材料は３６．５℃を維持する一方で身体の中では水分子が激しく衝突して、この振動が熱エネルギーとなって、熱に変換され身体が加温される。
【００３２】
その結果、遠赤外線が皮下組織や血管などに作用して血流が改善されるが、本発明者によれば、末梢、中枢の血流に１５％の上昇効果があることが確認されている。また、これらの炭素材料は、α波を発生して、身体を癒し健康増進に寄与する。
【００３３】
そのため、突起１２の他に、ケース本体１０やリストバンド２０が炭素材料で形成されることにより、上述の効果をより高めることができる。また、ケース本体１０がＣＣコンポジットや複合カーボンで形成されることにより、腕時計１に強い衝撃が加わった場合や、非装着時に腕時計１が机上等から落下した場合でも、ケース本体１０に割れや欠け、傷が発生しにくくなる。また、リストバンド２０がＣＣコンポジットや複合カーボンによって形成されたり、リストバンド２０の表層部がＤＬＣ処理やイオンプレーティング処理による皮膜層が形成されたりすることにより、ケース本体１０と同様にリストバンド２０に割れや欠け、傷が発生しにくくなる。
【００３４】
図２（ａ）〜（ｇ）は、他の実施形態におけるケース本体１０の裏面１０ａを平面視した、突起１２の配置態様を示す図である。
図２（ａ），（ｂ），（ｃ），（ｄ）は、本実施形態と同様に突起１２がケース本体１０の裏面１０ａに３個ずつ設けられている。具体的には、図２（ａ）は、平面視して正方形の突起１２が設けられており、図２（ｂ）はそれぞれ大きさの異なる突起１２が設けられている。また、図２（ｃ）の突起１２は、突状であり、図２（ｄ）の突起１２は、平面視して楕円形である。このように突起１２の形状は図１（ｂ），（ｃ）に示すような円錐状に限定されることはなく、種々の形状が採用され得る。さらに、形状の異なる複数の突起１２を組み合わせて、ケース本体１０の裏面１０ａに設けてもよい。たとえば、角柱状や円柱状、半球状に形成された突起１２がケース本体１０の裏面１０ａにそれぞれ１つずつ設けられてもよい。
【００３５】
図２（ｅ），（ｆ）は、ケース本体１０の裏面１０ａに設ける突起１２の個数を図１の実施形態より増やした実施形態を示す。図２（ｅ）は、突起１２がケース本体１０の裏面１０ａに等間隔に並べて配置されており、図２（ｆ）は、突起１２の位置が裏面１０ａの一部に偏って配置されている。突起１２の位置が偏っていることで、指圧を人体の一部に集中させることができる。このように、突起１２は等間隔に並べて配置することに限定されることはない。
【００３６】
図２（ｇ）は、ケース本体１０の裏面１０ａに設ける突起１２の個数を図１の実施形態より減らした実施例である。図２（ｇ）に示すように、半球状の突起１２は、裏面１０ａの中心から幅方向に沿って等間隔に２個、すなわち腕時計１の文字盤からみて３時側と９時側に配置されている。このように突起１２の設ける個数は図１（ｂ），（ｃ）に示すような３個に限定されることはない。さらに、突起１２の設ける個数は図２（ｇ）の実施例より少ない１個でもよく、突起１２の配置態様は、図例の配置態様に限定されることもない。たとえば、円錐状の突起１２がケース本体１０の裏面１０ａの中央部に１つ設けられてもよい。また、多数の突起１２で模様やデザインを設けてもよい。
【００３７】
図３は、他の実施形態において、腕Ａの表面形状に合わせてケース本体１０の裏面１０ａと裏面１０ａの中央部の突起１２ａの先端との凹凸寸法Ｄａ、裏面１０ａの両端部の突起１２ｂ，１２ｂの先端との凹凸寸法Ｄｂ，Ｄｂがそれぞれ異なっている構成を示す図である。すなわち、側面から見て、腕Ａの中央部は、腕Ａの両端付近と比べて上方に盛り上がっている。そのため、ケース本体１０の裏面１０ａ中央部に設けられている突起１２ａは、凹凸寸法Ｄａがリストバンド２０，２０付近に設けられている突起１２ｂ，１２ｂの凹凸寸法Ｄｂ，Ｄｂと比べて小さくなるように形成されている。このようにすることで、腕時計１の装着時に、突起１２ａ，１２ｂ，１２ｂが腕Ａの表面形状に沿うように接触し、ケース本体１０の裏面１０ａの中央部の突起１２ａと、裏面１０ａの両端部の突起１２ｂ，１２ｂとの指圧の強さを略均一にすることができる。
【００３８】
上述したように、ケース本体１０の裏面１０ａと突起１２毎との凹凸寸法Ｄを変えることにより、腕時計１の装着時に、突起１２毎の指圧の強さを略均一にすることができる。また、一部の突起１２の形状や凹凸寸法Ｄを変えることで、他の部分と比べて指圧の強さを変える事ができる。さらに、一部の突起１２の材料が他の突起１２の材料と異なっていてもよい。
【００３９】
図４は、他の実施形態において、ケース本体１０の裏面１０ａに突起１２を設けずに、リストバンド２０を構成するピース２０ａの人体と接触する面に突起１２を設けた構成を示す図である。図４では、ケース本体１０から数えて２つ目のピース２０ａに半球状の突起１２が設けられているが、突起１２の形状や設ける位置はこれに限定されることはなく、また、リストバンド２０に突起１２を設ける個数も限定されることはない。突起１２は、リストバンド２０の一体に形成されたものでもよいし、別体のものが固着されたものであってもよい。なお、突起１２の寸法は、図１に示したものと同程度とすることが望ましい。
【００４０】
また、着用者の腕の太さ等に合わせて、適切にツボを突起１２で指圧できるように突起１２を設ける位置を調節するとよい。さらに、各ピース２０ａにネジ穴を設け、突起１２の底面にネジ部を設ける等、着用者が突起１２を設ける位置や個数を調節可能な構成にしてもよい。そして、図１のような皮革製のリストバンド２０に突起１２を設けてもよい。
【００４１】
また、図４ではケース本体１０に突起１２が設けられていないが、突起１２が設けられたケース本体１０と突起１２が設けられたリストバンド２０を組み合わせてもよい。例えば図２（ｇ）のような突起１２が設けられたケース本体１０と図４のリストバンド２０を組み合わせてもよい。また、ケース本体１０やリストバンド２０の表面にＤＬＣ処理やイオンプレーティング処理による皮膜層を形成してもよい。
【００４２】
以上に示した種々の腕時計１によれば、炭素材料で形成された突起１２が設けられたことにより、腕時計１を腕に装着するだけで、突起１２による指圧効果が奏せられる。また、突起１２をケース本体１０、リストバンド２０が炭素材料で形成されていれば、それらと突起１２とによる遠赤外線効果による血行促進効果等の健康促進効果が奏せられる。特に、突起１２がケース本体１０やリストバンド２０に一体となったものでは削り出しで形成できるので、突起１２を強固に形成できる。
【００４３】
以上の実施形態の腕時計１は、突起１２がケース本体１０やリストバンド２０と一体に形成されたものとなっているが、別体で形成された突起１２が固着されてもよい。例えば図５に示すように、ケース本体１０やリストバンド２０に凹部１３を設けて、その凹部１３に円錐状などの突起を接着剤で取り付けるようにしてもよい。なお、別体の突起１２の固着手段は他の手段でもよい。
【００４４】
また、別体で形成された突起１２のケース本体１０の裏面１０ａの取り付け位置を調節するための機構を有してもよい。例えば、ケース本体１０の裏面１０ａに複数のネジ穴が形成され、突起１２の底面中央部にネジ部が形成され、螺合により突起１２を形成するようにしてもよい。これにより、突起１２を必要とする場合のみに取り付けることができ、また取り付ける位置や個数を調節することもできる。また、このような構成であれば、ネジ穴にネジ部が挿入される程度を調節することにより、ケース本体１０の裏面１０ａと突起１２の先端との凹凸寸法Ｄを使用者が調節することができる。さらに、大きさや形状、材質等の異なる種々の突起１２を用意することで、使用者に合わせてケース本体１０に取り付ける突起１２を選択することができる。また、ケース本体１０のうち裏面１０ａを構成する平板材と突起１２とを一体に形成し、その突起１２付きの平板材を交換可能とした構成であってもよい。リストバンド２０についても、上記の取り付け位置の調節手段を採用してもよい。
【００４５】
また、別体の突起１２を凹部１３に固着する構成のものでは、突起１２の材料を、取り付け対象であるケース本体１０やリストバンド２０とは異なる炭素材料とすることもできる。そうすれば例えば、ケース本体１０やリストバンド２０を強度の高い材料（例えばＣＣコンポジット）とし、突起１２を熱伝導性のより高いもの（等方性炭素材料）にするなど種々の組み合わせにすることができる。また、突起１２が摩耗しても取り替えが容易に行える。
【００４６】
ケース本体１０およびリストバンド２０は、炭素材料を素材とする場合には、軽量にし、かつ強度を上げるためにＣＣコンポジットで製されていることが望ましい。その場合には、製造過程において焼成温度を調節することで樹脂材料（フェノール樹脂）を５〜２０重量％程度、残すようにすることが強度向上のうえで望ましい。
【００４７】
突起１２を等方性炭素材料で形成すれば、熱伝導性がきわめて高いため体の熱を突起１２でより早く吸収してケース本体１０やリストバンド２０に伝えることができ、これらによる遠赤外線の放射率を高めるとともに放射を早めることができる。
【００４８】
また、時計部１１の電源を用いて突起１２を加温する加熱部を有する腕時計１としてもよい。加熱部を有することにより、突起１２が効率よく加温されて遠赤外線を放射することでき、また、加温された突起１２が人体に灸のような温刺激を与えることができる。
【符号の説明】
【００４９】
１                            腕時計
１０                          ケース本体
１０ａ                        （ケース本体の）裏面
１１                          時計部
１２，１２ａ，１２ｂ          突起
２０                          リストバンド
【図１】
2018159688.tif 000003
【図２】
2018159688.tif 000004
【図３】
2018159688.tif 000005
【図４】
2018159688.tif 000006
【図５】
2018159688.tif 000007